(57)【要約】【課題】部品点数の増加を抑制しながら、筐体が正面から見て凸形状に変形することによって筐体と表示部との間に隙間が生じることを抑制することが可能な表示装置を提供する。【解決手段】この表示装置（液晶テレビジョン装置１）は、映像を表示するための液晶モジュール１０と、液晶モジュール１０の取付部１３が取り付けられる樹脂製の前側筐体２とを備えている。そして、前側筐体２は、正面から見て長手方向である左右方向に沿って凹形状に反るように形成されるとともに、液晶モジュール１０が固定された際に正面から見て平坦形状になるように構成されている。【選択図】図６
2009116189.tif 000002
【特許請求の範囲】
【請求項１】
映像を表示するための表示部と、
前記表示部の取付部が取り付けられる筐体とを備え、
前記筐体は、正面から見て長手方向に沿って凹形状に反るように形成されるとともに、前記表示部が固定された際に正面から見て平坦形状になるように構成されている、表示装置。
【請求項２】
前記筐体は、前記表示部の取付部と当接するとともに、前記表示部を前記筐体に取り付けるためのボス部を両端部側および中央部側に少なくとも１つずつ含み、
前記筐体のボス部の突出高さは、同じになるように形成されている、請求項１に記載の表示装置。
【請求項３】
前記筐体のボス部は、ネジ穴部を有し、
前記表示部は、前記筐体のボス部のネジ穴部にネジ部材を前記取付部を介して螺合することにより前記筐体に固定されるように構成され、
前記筐体は、前記ネジ部材により前記表示部が前記筐体に固定されることによって、前記凹形状の反りが変形されて正面から見て平坦形状になるように構成されている、請求項２に記載の表示装置。
【請求項４】
前記筐体は、樹脂製であるとともに、樹脂成形により正面から見て長手方向に沿って凹形状に反るように形成されている、請求項１〜３のいずれか１項に記載の表示装置。
【請求項５】
前記表示部の取付部は、金属製であるとともに、前記金属製の表示部の取付部が前記樹脂製の筐体に固定される際に、前記金属製の表示部の取付部は変形されずに前記樹脂製の筐体の凹形状の反りが平坦形状に変形されるように構成されている、請求項４に記載の表示装置。
【発明の詳細な説明】
【技術分野】
【０００１】
この発明は、表示装置に関し、特に、筐体と表示部とを備えた表示装置に関する。
【背景技術】
【０００２】
従来、筐体と表示部とを備えた表示装置が知られている（たとえば、特許文献１〜３参照）。
【０００３】
上記特許文献１には、映像を表示する液晶パネル（表示部）と、液晶パネルを支持するパネル固定板（取付部）と、液晶パネルの前側に配置される透明な表示板と、表示板を固定するための表示板支持部材（取付部）と、パネル固定板および表示板支持部材が取り付けられるとともに、表示板を前方に露出させるための開口部を含むコの字形状の外装部材（筐体）とを備える表示装置が開示されている。この表示装置の表示板は、表示板支持部材と外装部材とに挟み込まれるように配置されている。
【０００４】
また、上記特許文献２には、映像を表示する液晶パネル（表示部）と、液晶パネルを前方に露出させるための窓を有し、液晶パネルが取り付けられるコの字形状の金属製の上フレームとを備える表示装置が開示されている。この表示装置では、液晶パネルと上フレームとの間には、液晶パネルと上フレームとの隙間を埋める導電性ゴムクッションが設けられている。
【０００５】
また、上記特許文献３には、映像を表示する液晶パネル（表示部）と、液晶パネルが取り付けられるとともに、液晶パネルを外部に露出させるための開口を有するコの字形状の樹脂製のホルダ（筐体）とを備える液晶表示モジュールが開示されている。
【０００６】
【特許文献１】特開平９−７３０７２号公報
【特許文献２】特開２００５−９１９７１号公報
【特許文献３】特開２００１−４２２９５号公報
【発明の開示】
【発明が解決しようとする課題】
【０００７】
しかしながら、上記特許文献１に記載の表示装置では、外装部材に外部から衝撃が加わった際に、外装部材がコの字形状であることに起因して正面から見て長手方向に凸形状に変形する場合がある。その場合には、外装部材の長手方向の中央部近傍と液晶パネルとの間に隙間が生じるという問題点がある。
【０００８】
また、上記特許文献２に記載の表示装置では、液晶パネルと上フレームとの間に隙間が生じないように構成するために、液晶パネルと上フレームとの間に導電性ゴムクッションを設ける必要がある。このため、導電性ゴムクッションの分、部品点数が増加するという問題点がある。
【０００９】
また、上記特許文献３に記載の液晶表示モジュールでは、ホルダに外部から衝撃が加わった際に、ホルダがコの字形状であることに起因して、正面から見て長手方向に凸形状に変形する場合がある。その場合には、ホルダの長手方向の中央部近傍と液晶パネルとの間に隙間が生じるという問題点がある。
【００１０】
この発明は、上記のような課題を解決するためになされたものであり、この発明の１つの目的は、部品点数の増加を抑制しながら、筐体が正面から見て凸形状に変形することによって筐体と表示部との間に隙間が生じることを抑制することが可能な表示装置を提供することである。
【課題を解決するための手段および発明の効果】
【００１１】
この発明の一の局面による表示装置は、映像を表示するための表示部と、表示部の取付部が取り付けられる筐体とを備え、筐体は、正面から見て長手方向に沿って凹形状に反るように形成されるとともに、表示部が固定された際に正面から見て平坦形状になるように構成されている。
【００１２】
この一の局面による表示装置では、上記のように、筐体を、正面から見て長手方向に沿って凹形状に反るように形成されるとともに、表示部が固定された際に正面から見て平坦形状になるように構成することによって、筐体を正面から見て凸形状に変形しやすいコの字形状に形成したとしても、予め筐体を凹形状に反るように形成した後に筐体を平坦形状に変形させるので、筐体の形成時、または、外部から筐体に衝撃が加わった際に、筐体が正面から見て凸形状に変形するのを抑制することができる。また、筐体を凸形状に変形するのを抑制することができるので、筐体と表示部との間に隙間が生じないように構成するために、隙間を埋めるための部品を別途設ける必要がない。これにより、その分、部品点数の増加を抑制することができる。これらの結果、部品点数の増加を抑制しながら、筐体が正面から見て凸形状に変形することによって筐体と表示部との間に隙間が生じることを抑制することができる。
【００１３】
上記一の局面による表示装置において、好ましくは、筐体は、表示部の取付部と当接するとともに、表示部を筐体に取り付けるためのボス部を両端部側および中央部側に少なくとも１つずつ含み、筐体のボス部の突出高さは、同じになるように形成されている。このように構成すれば、筐体に表示部を固定して筐体が平坦形状になった際に、取付部と当接するボス部の当接面は、すべてのボス部において、同じ高さ位置に位置するように構成することができる。これにより、筐体に表示部を固定した際に、安定して筐体の平坦形状を維持することができる。
【００１４】
この場合、好ましくは、筐体のボス部は、ネジ穴部を有し、表示部は、筐体のボス部のネジ穴部にネジ部材を取付部を介して螺合することにより筐体に固定されるように構成され、筐体は、ネジ部材により表示部が筐体に固定されることによって、凹形状の反りが変形されて正面から見て平坦形状になるように構成されている。このように構成すれば、ネジ部材によって、表示部を筐体に固定して、筐体の凹形状の反りを正面から見て平坦形状に変形させたままの状態で固定することができるので、筐体に表示部を固定した際に、より安定して筐体の平坦形状を維持することができる。
【００１５】
上記一の局面による表示装置において、好ましくは、筐体は、樹脂製であるとともに、樹脂成形により正面から見て長手方向に沿って凹形状に反るように形成されている。このように構成すれば、筐体が樹脂成形時に正面から見て凸形状に変形することを抑制することができるので、筐体に表示部を固定する際に、筐体と表示部との間に隙間が生じないように構成するために筐体を正面から見て平坦形状、または、凹形状に変形させる必要がない。これにより、筐体に表示部を固定する作業を簡略化することができる。また、筐体を樹脂成形により正面から見て長手方向に沿って凹形状に反るように形成することによって、容易に、凹形状の筐体を形成することができる。
【００１６】
この場合、好ましくは、表示部の取付部は、金属製であるとともに、金属製の表示部の取付部が樹脂製の筐体に固定される際に、金属製の表示部の取付部は変形されずに樹脂製の筐体の凹形状の反りが平坦形状に変形されるように構成されている。このように構成すれば、表示部の取付部を樹脂よりも剛性の大きい金属により形成することによって、筐体に表示部を固定した際に、平坦形状に変形する筐体が正面から見て凹形状に戻る反発力により表示部の取付部が正面から見て凹形状に変形するのを抑制することができる。これにより、筐体に表示部が固定された際に、より安定して、筐体の平坦形状を維持することができる。
【発明を実施するための最良の形態】
【００１７】
以下、本発明を具体化した実施形態を図面に基づいて説明する。
【００１８】
図１は、本発明の一実施形態による液晶テレビジョン装置の全体構造を示した斜視図である。また、図２は、図１の液晶テレビジョン装置の内部構造を説明するための斜視図である。また、図３〜図８は、図１に示した本発明の一実施形態による液晶テレビジョン装置の前側筐体および液晶モジュールの構造を示した図である。まず、図１〜図８を参照して、本発明の一実施形態による液晶テレビジョン装置１の構成について説明する。なお、本実施形態では、表示装置の一例である液晶テレビジョン装置１に本発明を適用した場合について説明する。
【００１９】
本発明の一実施形態による液晶テレビジョン装置１は、図１に示すように、映像を表示するための液晶パネル１１を含む液晶モジュール１０を備えている。また、液晶パネル１１は、樹脂製の前側筐体２と後側筐体３とにより支持されている。この前側筐体２には、液晶パネル１１を前方に露出させるための開口部４が設けられている。なお、液晶モジュール１０は、本発明の「表示部」の一例であり、前側筐体２は、本発明の「筐体」の一例である。また、前側筐体２および後側筐体３の下側には、脚部５が設けられている。
【００２０】
また、図２に示すように、前側筐体２は、コの字形状に形成されている。すなわち、前側筐体２は、上下方向（Ｚ方向）および左右方向（Ｘ方向）の端部が後方（Ｙ方向）に向かって突出するように形成されている。また、前側筐体２の背面には、液晶モジュール１０が取り付けられている。この液晶モジュール１０は、液晶パネル１１（図１参照）を内部に含む金属製のシャーシ１２を含んでいる。この金属製のシャーシ１２は、外側の縁部に取付部１３を有している。この取付部１３は、ネジ挿入穴１４（図３および５参照）を有している。また、取付部１３は、図３〜図５に示すように、前側筐体２から後方（Ｙ方向）に突出するように設けられたボス６、１６、２６、３６、および４６に当接した状態でネジ２０により固定されている。また、シャーシ１２は、樹脂製の前側筐体２よりも剛性の大きい金属によって形成されている。なお、ボス６、１６、２６、３６、および４６は、本発明の「ボス部」の一例である。なお、ネジ２０は、本発明の「ネジ部材」の一例である。
【００２１】
また、本実施形態では、図６に示すように、前側筐体２には、開口部４の左右方向（Ｘ方向）の両側には、上下方向（Ｚ方向）の両端部近傍と中央部近傍とに１つずつボス６が配置されている。また、前側筐体２の開口部４の上側には、開口部４の左右方向（Ｘ方向）の両端部近傍にそれぞれボス１６が設けられており、開口部４の中央部側に所定の間隔を隔てて２つのボス２６が設けられている。また、前側筐体２の開口部４の下側には、開口部４の左右方向（Ｘ方向）の両端部近傍にそれぞれボス３６が設けられており、開口部４の中央部近傍に１つのボス４６が設けられている。また、前側筐体２のすべてのボス６、１６、２６、３６、および４６は、同じ突出高さを有するように形成されている。また、ボス６、１６、２６、３６、および４６は、それぞれ、ネジ穴６ａ、１６ａ、２６ａ、３６ａ、および４６ａを有する。なお、ネジ穴６ａ、１６ａ、２６ａ、３６ａ、および４６ａは、本発明の「ネジ穴部」の一例である。このネジ穴６ａ、１６ａ、２６ａ、３６ａ、および４６ａは、液晶モジュール１０（図２参照）を前側筐体２に取り付けるために設けられている。すなわち、図２〜図５に示すように、液晶モジュール１０の取付部１３を前側筐体２のボス６、１６、２６、３６、および４６に当接した状態で、ネジ２０を取付部１３のネジ挿入穴１４（図４参照）に挿入し、ボス６、１６、２６、３６、および４６のネジ穴６ａ、１６ａ、２６ａ、３６ａ、および４６ａに螺合することにより、液晶モジュール１０は、前側筐体２に固定されている。
【００２２】
また、図３に示すように、前側筐体２には、上下方向（Ｚ方向）および左右方向（Ｘ方向）の角部近傍に後側筐体３（図１参照）を取り付けるためのネジ穴７ａを有するボス７が設けられている。また、前側筐体２と後側筐体３（図１参照）とは、ボス７に設けられたネジ穴７ａにネジ（図示せず）が螺合されることにより、固定されている。また、前側筐体２は、後方（Ｙ方向）に突出するように、開口部４の縁部に沿って設けられる突出部８を含んでいる。この突出部８は、図３〜図５に示すように、前側筐体２に液晶モジュール１０が取り付けられた際に、液晶モジュール１０のシャーシ１２とは当接しないように構成されている。
【００２３】
ここで、本実施形態では、前側筐体２は、図７に示すように、正面から見て長手方向である左右方向（Ｘ方向）に沿って凹形状に反るように樹脂成形により形成されている。この反り幅ｗは、約０．５ｍｍである。この左右方向（Ｘ方向）の反りを有する前側筐体２の下側は、図３に示すように、前側筐体２のボス３６および４６に対して液晶モジュール１０の取付部１３がネジ２０によって取り付けられることにより、平坦形状になるように構成されている。また、図５に示すように、前側筐体２の上側は、前側筐体２のボス１６および２６に対して液晶モジュール１０の取付部１３がネジ２０によって取り付けられることによって、平坦形状になるように構成されている。
【００２４】
図８および図９は、本発明の一実施形態による液晶テレビジョン装置の前側筐体に液晶モジュールを取り付ける手順を説明するための説明図である。次に、図３〜図５、図８および図９を参照して、本発明の一実施形態による液晶テレビジョン装置１の前側筐体２に液晶モジュール１０を取り付ける手順について説明する。
【００２５】
まず、図８に示すように、前側筐体２の開口部４の下側の両端部近傍と中央部近傍とに設けられる２つのボス３６および１つのボス４６のうちの中央部側の１つのボス４６を液晶モジュール１０が前側筐体２に取り付けられる前にシャーシ１２の取付部１３に当接させる。これにより、２つのボス３６は、シャーシ１２の取付部１３と離間する。これは、左右方向（Ｘ方向）の両端のボス３６が液晶モジュール１０のシャーシ１２が前側筐体２に取り付けられる前には、前側筐体２が正面から見て長手方向である左右方向（Ｘ方向）に沿って凹形状に反るように形成されているとともに、すべてのボス３６および４６が同じ突出高さに形成されているためである。次に、液晶モジュール１０の取付部１３のネジ挿入穴１４にネジ２０を挿入し、ボス３６および４６のそれぞれのネジ穴３６ａおよび４６ａに螺合する。これにより、図４に示すように、前側筐体２は、液晶モジュール１０が取り付けられる。この際、前側筐体２は、正面から見て凹形状の反りが変形されて平坦形状になり、平坦形状が維持された状態で固定される。
【００２６】
また、前側筐体２の開口部４の上側の両端部近傍の中央部近傍とに設けられる２つのボス１６および２つのボス２６は、図９に示すように、液晶モジュール１０が前側筐体２に取り付けられる前には、すべてのボス１６および２６が同じ突出高さになるように形成されている。また、前側筐体２が正面から見て長手方向である左右方向（Ｘ方向）に沿って凹形状に反るように形成されている。このため、すべてのボス１６および２６は、液晶モジュール１０の取付部１３と離間する。そして、液晶モジュール１０の取付部１３のネジ挿入穴１４にネジ２０を挿入し、ボス１６および２６のそれぞれのネジ穴１６ａおよび２６ａに螺合する。これにより、図６に示すように、前側筐体２は、液晶モジュール１０が取り付けられる。この際、前側筐体２は、正面から見て凹形状の反りが変形されて平坦形状になり、平坦形状が維持された状態で固定される。なお、液晶モジュール１０の取付部１３は、前側筐体２を形成する樹脂よりも剛性の大きい金属製であるため、変形されずに、前側筐体２の平坦形状を維持する。
【００２７】
本実施形態では、上記のように、前側筐体２を、正面から見て長手方向である左右方向（Ｘ方向）に沿って凹形状に反るように形成されるとともに、液晶モジュール１０が固定された際に正面から見て平坦形状になるように構成することによって、前側筐体２を正面から見て凸形状に変形しやすいコの字形状に形成したとしても、予め前側筐体２を凹形状に反るように形成した後に前側筐体２を平坦形状に変形させるので、前側筐体２の形成時、または、外部から前側筐体２に衝撃が加わった際に、前側筐体２が正面から見て凸形状に変形するのを抑制することができる。また、前側筐体２が凸形状に変形するのを抑制することができるので、前側筐体２と液晶パネル１１との間に隙間が生じないように構成するために、隙間を埋めるための部品を別途設ける必要がない。これにより、その分、部品点数の増加を抑制することができる。これらの結果、部品点数の増加を抑制しながら、前側筐体２が正面から見て凸形状に変形することによって前側筐体２と液晶パネル１１との間に隙間が生じることを抑制することができる。
【００２８】
また、本実施形態では、上記のように、前側筐体２に、液晶モジュール１０の取付部１３と当接するとともに、液晶モジュール１０を前側筐体２に取り付けるためのボス６を両端部側および中央部側に少なくとも１つずつ設け、前側筐体２のボス６の突出高さは、同じになるように形成する。これにより、前側筐体２に液晶モジュール１０を固定して前側筐体２が平坦形状になった際に、取付部１３と当接するボス６の当接面は、すべてのボス６において、同じ高さ位置で同一平面上に位置するように構成することができる。その結果、前側筐体２に液晶モジュール１０を固定した際に、安定して前側筐体２の平坦形状を維持することができる。
【００２９】
また、本実施形態では、上記のように、前側筐体２のボス６を、ネジ穴６ａを有し、液晶モジュール１０は、前側筐体２のボス６のネジ穴６ａにネジ２０を取付部１３を介して螺合することにより前側筐体２に固定されるように構成し、前側筐体２を、ネジ２０により液晶モジュール１０が前側筐体２に固定されることによって、凹形状の反りが変形されて正面から見て平坦形状になるように構成する。これにより、ネジ２０によって、液晶モジュール１０を前側筐体２に固定して、前側筐体２の凹形状の反りを正面から見て平坦形状に変形させるので、前側筐体２に液晶モジュール１０を固定した際に、より安定して前側筐体２の平坦形状を維持することができる。
【００３０】
また、本実施形態では、上記のように、前側筐体２を、樹脂成形により正面から見て長手方向である左右方向（Ｘ方向）に沿って凹形状に反るように形成することによって、前側筐体２が樹脂成形時に正面から見て凸形状に変形することを抑制することができるので、前側筐体２に液晶モジュール１０を固定する際に、前側筐体２と液晶モジュール１０との間に隙間が生じないように構成するために前側筐体２を正面から見て平坦形状、または、凹形状に変形させる必要がない。これにより、前側筐体２に液晶モジュール１０を固定する作業を簡略化することができる。また、前側筐体２を樹脂成形により正面から見て長手方向である左右方向（Ｘ方向）に沿って凹形状に反るように形成することによって、容易に、凹形状の前側筐体２を形成することができる。
【００３１】
また、本実施形態では、上記のように、液晶モジュール１０の取付部１３を、金属製であるとともに、金属製の液晶モジュール１０の取付部１３が樹脂製の前側筐体２に固定される際に、金属製の液晶モジュール１０の取付部１３は変形されずに樹脂製の前側筐体２の凹形状の反りが平坦形状に変形されるように構成する。これにより、液晶モジュール１０の取付部１３を樹脂よりも剛性の大きい金属により形成することによって、前側筐体２に液晶モジュール１０を固定した際に、平坦形状に変形する前側筐体２が正面から見て凹形状に戻る反発力により液晶モジュール１０の取付部１３が正面から見て凹形状に変形するのを抑制することができる。これにより、前側筐体２に液晶モジュール１０が固定された際に、より安定して、前側筐体２の平坦形状を維持することができる。
【００３２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３３】
たとえば、上記実施形態では、表示装置の一例として、液晶テレビジョン装置に本発明を適用した例を示したが、本発明はこれに限らず、液晶パネルなどの表示パネルと筐体を有する表示装置であれば、液晶モニターなど他の表示装置に適用してもよい。
【００３４】
また、上記実施形態では、表示装置の一例として、長手方向が左右方向（Ｘ方向）である横長形状の液晶テレビジョン装置に本発明を適用した例を示したが、本発明はこれに限らず、長手方向が上下方向である縦長形状の表示装置に適用してもよい。
【００３５】
また、上記実施形態では、表示部の一例として液晶パネルを有する液晶モジュールを用いる例を示したが、本発明はこれに限らず、有機ＥＬパネルなど他の表示パネルを有するモジュールを用いてもよい。
【００３６】
また、上記実施形態では、前側筐体を正面から見て長手方向である左右方向に沿って凹形状に反る形状に形成する例を示したが、本発明はこれに限らず、正面から見て短手方向である高さ方向に沿って凹形状に反る形状に形成してもよい。
【図面の簡単な説明】
【００３７】
【図１】本発明の一実施形態による液晶テレビジョン装置の全体構成を示した斜視図である。
【図２】図１に示した本発明の一実施形態による液晶テレビジョン装置の液晶モジュールの取付構造を説明するための斜視図である。
【図３】図１に示した本発明の一実施形態による液晶テレビジョン装置の前側筐体の下部と液晶モジュールとの取付状態を説明するための図である。
【図４】図３に示した本発明の一実施形態による液晶テレビジョン装置の前側筐体の下部と液晶モジュールとの取付状態を説明するための部分拡大図である。
【図５】図１に示した本発明の一実施形態による液晶テレビジョン装置の前側筐体の上部と液晶モジュールとの取付状態を説明するための図である。
【図６】図１に示した本発明の一実施形態による液晶テレビジョン装置の前側筐体の構造を説明するための斜視図である。
【図７】図１に示した本発明の一実施形態による液晶テレビジョン装置の前側筐体の構造を説明するための断面図である。
【図８】図１に示した本発明の一実施形態による液晶テレビジョン装置の前側筐体の下部と液晶モジュールとの取付方法を説明するための図である。
【図９】図１に示した本発明の一実施形態による液晶テレビジョン装置の前側筐体の上部と液晶モジュールとの取付方法を説明するための図である。
【符号の説明】
【００３８】
１  液晶テレビジョン装置（表示装置）
２  前側筐体（筐体）
６、１６、２６、３６，４６  ボス（ボス部）
６ａ、１６ａ、２６ａ、３６ａ、４６ａ  ネジ穴（ネジ穴部）
１０  液晶モジュール（表示部）
１３  取付部
２０  ネジ（ネジ部材）
【図１】
2009116189.tif 000003
【図２】
2009116189.tif 000004
【図３】
2009116189.tif 000005
【図４】
2009116189.tif 000006
【図５】
2009116189.tif 000007
【図６】
2009116189.tif 000008
【図７】
2009116189.tif 000009
【図８】
2009116189.tif 000010
【図９】
2009116189.tif 000011